(57)【要約】【課題】ユーザによる初期値データ群の設定替えと復元が容易に得られるようにしたインバータ装置を提供すること。【解決手段】パラメータ記憶エリア２の外に一次ユーザ独自初期値データ群記憶エリア３と二次ユーザ独自初期値データ群記憶エリア４を設け、必要に応じて、パラメータ一時記憶エリア７の間でデータの置換と退避が行なえるようにしたもの。【効果】インバータ装置を組み込んだユーザ製品の出荷顧客先による初期値データ群内容の変更の必要性が生じた場合でも、インバータ装置のメーカに依頼することなくユーザ自身による変更が可能であるため、ユーザ側製造工程の短縮等が可能となる。【選択図】　図１
2004040966.tif 000002
【特許請求の範囲】
【請求項１】
ＲＡＭのパラメータ一次記憶エリアに格納されているパラメータを用いて制御され、標準初期値データ群による初期化機能を備えたインバータ装置において、
少なくとも２種のユーザ独自初期値データ群を格納したＥＥＰＲＯＭを備え、前記ＥＥＰＲＯＭに格納されている少なくとも２種のユーザ独自初期値データ群の何れかにより、前記ＲＡＭのパラメータ一次記憶エリアに格納されているパラメータを書換えるパラメータ初期化手段と、
前記ＲＡＭのパラメータ一次記憶エリアに格納されているパラメータにより、前記ＥＥＰＲＯＭに格納されている少なくとも２種のユーザ独自初期値データ群の少なくとも１種を書換える初期値データ群書換え手段とを設け、
初期値データ群の設定替えと復元が任意に得られるように構成したことを特徴とするインバータ装置。
【請求項２】
請求項１に記載の発明において、
前記初期値データ群書換え手段の動作を、特定の権限を持った者に限定する手段が備えられていることを特徴とするインバータ装置。
【発明の詳細な説明】
【０００１】
【発明の属する技術分野】
本発明は、予め設定してあるパラメータを用いて制御する方式のインバータ装置に係り、特にパラメータの変更が任意に得られるようにした汎用のインバータ装置に関する。
【０００２】
【従来の技術】
誘導電動機など、交流電動機の駆動用に使用されている汎用のインバータ装置では、加速時間や減速時間、電圧／周波数パターン、最高周波数などのパラメータが予め設定され、これに従って動作が制御されるようになっているのが一般的である。
【０００３】
そして、近年は、このパラメータをユーザが設定変更し、それぞれの用途に応じて最適なインバータシステムが構築できるようになっているが、このときのユーザによるパラメータの設定変更は、予め設定してある何らかのパラメータを初期値とし、これを書き替えて行くというやり方が通例である。
【０００４】
そこで、汎用のインバータ装置では、それ市場に提供される際、予め標準的なパラメータを用意し、それが当該インバータ装置に設定された状態で出荷されるのが一般的で、この場合、上記したユーザによるパラメータの設定変更は、この標準的なパラメータを初期値として開始することになる。
【０００５】
一方、このことから、初期化機能を備えた汎用のインバータ装置も従来から知られている。ここで、この初期化機能とは、ユーザ側で変更してしまったパラメータを、工場出荷時にメーカ側で設定したデータに一括して戻せるようにした機能のことである。
【０００６】
ところで、この初期化値機能を備えた汎用のインバータ装置の従来例では、工場出荷時に標準パラメータとして用意されているデータ群は一組で、このため初期化機能を実行すると、どのユーザにとっても同じく等しいデータに設定されてしまう。
【０００７】
しかも、この初期化機能が実行されてしまうと、ユーザ側で設定していた独自のデータによるパラメータは消滅してしまうので、再度、同じパラメータに設定し直すためには、別途、ユーザが記録してある資料などを参照し、個々のパラメータについて設定表示手段を用いるなどして、入力し直すか、又は初期化機能を実行する際、別途、当該パラメータをメモリに記憶しておき、それを読出してパラメータ一式をコピーする必要があった。
【０００８】
そこで、例えば特開平８−２３７９９１号公報では、メーカ標準初期値データ群とユーザ独自初期値データ群の少なくとも２組のパラメータ群を設定したインバータ装置について提案しており、以下、これを従来技術という。
【０００９】
そして、この従来技術の場合、メーカ標準初期値データ群は、当該インバータ装置のメーカが内容を定めて設定されるが、ユーザ独自初期値データ群については、当該インバータ装置のユーザが自ら決めた上で予めメーカに通知しておいたものが設定される。そこで、当該ユーザは、任意の初期値データ群を選択して、初期化機能を実行することができる。
【００１０】
このため、メーカは、当該ユーザ向けインバータ装置の工場出荷時、メーカ標準初期値データ群はＲＯＭ（読出専用メモリ）上に格納し、ユーザ独自初期値データ群はＲＯＭ上に格納、若しくはＥＥＰＲＯＭ（電気的に書換え可能な不揮発性メモリ）の所定の領域に格納した上で、この領域を書込み禁止エリアにしておくのである。
【００１１】
【発明が解決しようとする課題】
上記従来技術は、ユーザ独自初期値データ群がインバータ装置に設定される時点が、当該インバータ装置の製造時になってしまう点に配慮がされておらず、以下の問題があった。
【００１２】
従来技術の場合、ユーザ独自の初期値は、インバータ装置の出荷時、既に当該インバータ装置内に設定されており、従って、ユーザから見た場合、注文品生産と同じになってしまう。
【００１３】
そうすると、この場合、ユーザ独自の初期値を変更するためには、その都度、インバータ装置の製造メーカに変更依頼のし直しを要請する必要があり、タイムラグが生じて非効率的であるという問題があった。
【００１４】
例えば、インバータ装置を用いてポンプを制御する方式の給水システムなど、インバータ装置を部品の一種として採用した機器のメーカ（これを一次ユーザという）が、当該システムの出荷先顧客（これを二次ユーザという）の違いにより、一次ユーザ独自初期値データ群の変更を望んだ場合、従来技術では、一次ユーザは、二次ユーザ毎に異なった機種のインバータ装置をメーカから購入することになり、非効率的である。
【００１５】
また、二次ユーザが、例えば上記した給水システムなどの標準的な運用状況のもとで、システム全体の動作調整の一環としてインバータ装置の調整を行なった後、このとき設定されているパラメータ一式について、それを一括して、もとの二次ユーザ独自初期値データ群の内容に戻したいという要求があった場合、従来技術では対応できないという問題があった。
【００１６】
本発明の目的は、ユーザによる初期値データ群の設定替えと復元が容易に得られるようにしたインバータ装置を提供することにある。
【００１７】
【課題を解決するための手段】
上記目的は、ＲＡＭのパラメータ一次記憶エリアに格納されているパラメータを用いて制御され、標準初期値データ群による初期化機能を備えたインバータ装置において、少なくとも２種のユーザ独自初期値データ群を格納したＥＥＰＲＯＭを備え、前記ＥＥＰＲＯＭに格納されている少なくとも２種のユーザ独自初期値データ群の何れかにより、前記ＲＡＭのパラメータ一次記憶エリアに格納されているパラメータを書換えるパラメータ初期化手段と、前記ＲＡＭのパラメータ一次記憶エリアに格納されているパラメータにより、前記ＥＥＰＲＯＭに格納されている少なくとも２種のユーザ独自初期値データ群の少なくとも１種を書換える初期値データ群書換え手段とを設け、初期値データ群の設定替えと復元が任意に得られるようにして達成される。
【００１８】
このとき、前記初期値データ群書換え手段の動作を、特定の権限を持った者に限定する手段が備えられるようにしてもよい。
【００１９】
【発明の実施の形態】
以下、本発明によるインバータ装置について、図示の実施の形態により詳細に説明すると、ここで、まず、図１は本発明の第１の実施形態で、これは、上記したように、インバータ装置の動作における加速時間や減速時間、電圧／周波数パターン、最高周波数などのパラメータを設定する働きをする部分で、図示してないインバータ装置の本体に組み込まれる。
【００２０】
そして、この図１に示されている部分は、大別して、ＥＥＰＲＯＭ１とＲＡＭ（ランダムアクセスメモリ）５、ＲＯＭ１０、それにＭＣＵ（マイクロコントローラユニット）１８で構成されている。
【００２１】
ここで、このＭＣＵ１８は、ここでは独立したユニットとして描いてあるが、実際には、図示してないインバータ装置の本体を制御するマイコン（マイクロコンピュータ）による処理の一部で構成されているものである。
【００２２】
ここで、まず、ＥＥＰＲＯＭ１には、パラメータ記憶エリア２と一次ユーザ独自初期値データ群記憶エリア３、それに二次ユーザ独自初期値データ群記憶エリア４が割り付けられている。
【００２３】
そして、まず、パラメータ記憶エリア２には、初期化時データの流れ３１で示すように、インバータ装置の動作に必要な各種のパラメータが格納され、一次ユーザ独自初期値データ群記憶エリア３と二次ユーザ独自初期値データ群記憶エリア４には、夫々書込処理３７、３８で示すように、予め各ユーザから指示された初期値が、当該インバータ装置の出荷時に書込まれている。
【００２４】
次に、ＲＡＭ５には、インバータ装置の制御部（通常、マイクロコンピュータで構成されている）が制御演算処理を行う際の途中結果などを格納し、参照するためのワークエリア６と、ＭＣＵ１８とＥＥＰＲＯＭ１の動作速度の差を埋めるためのパラメータ一時記憶エリア７が割り付けられている。
【００２５】
そして、このパラメータ一時記憶エリア７には、この部分の動作を制御するためのパラメータとなる初期値データ群書換え対象選択データ８と初期値データ群選択データ９が格納されるエリアも含まれている。
【００２６】
また、ＲＯＭ１０には、ＭＣＵ１８で実行される命令列が格納されたエリア１１と、メーカ標準初期値データ群記憶エリア１２が、インバータ装置実装時処理３９により割り付けられている。
【００２７】
ここでＥＥＰＲＯＭ１は、電源がＯＦＦ（オフ：スイッチ“切”）されているときもパラメータ記憶エリア２にパラメータ一式を保持していて、電源がＯＮ（オン：スイッチ“接”）されたとき、電源ＯＮ時データの流れ１４として、ここからパラメータ一時記憶エリア７にパラメータ一式がダウンロードされる。
【００２８】
また、通常のパラメータ設定操作の場合は、電源がＯＦＦされたとき、電源ＯＦＦ時・設定変更時データの流れ１３として、パラメータ一時記憶エリア７からパラメータ記憶エリア２にデータの書込みが行なわれ、この結果、常に両エリアのパラメータ設定内容の整合性が保たれている。
【００２９】
そこで、インバータ装置が動作しているときは、このパラメータ一時記憶エリア７に記憶されているパラメータが随時参照され、インバータ装置の動作における加速時間や減速時間、電圧／周波数パターン、最高周波数などのパラメータとして使用されていることになる。
【００３０】
なお、ここでは詳しい説明は割愛するが、これら電源ＯＦＦ時・設定変更時データの流れ１３と電源ＯＮ時データの流れ１４が得られるようにするためのに必要な各メモリの制御は、何れもＭＣＵ１８により、つまり上記したマイコンの所定のプログラムに従って実行されるものである。
【００３１】
このため、ＲＡＭ５とＭＣＵ１８の間には、初期値データ群書換え対象選択データの流れ３４と初期値データ群選択データの流れ３５、それにパラメータ一時記憶エリア７からのデータの流れ３６が設定されている。
【００３２】
次に、この実施形態によるパラメータの設定動作について説明すると、この動作は、ＭＣＵ１８に付属のキーボードとモニタなどの設定表示手段３２を用い、ユーザ（一次ユーザ及び二次ユーザ）による設定表示手段３２の操作のもとで実行される。
【００３３】
このため、設定表示手段３２からは、パラメータ初期化要求とユーザ独自初期値データ群書換え操作要求などの設定要求３３がＭＣＵ１８に入力され、ＭＣＵ１８からは、表示データ５３が設定表示手段３２に供給される。
【００３４】
まず、通常の運転時、ユーザは、上記したように、当初、予め設定してある初期値データ群からなる各パラメータをそのままで、或いは、必要に応じて各初期値からデータに変更を施し、ユーザにとって最適な条件のパラメータに設定した後、そのパラメータのもとでインバータ装置を使用している。
【００３５】
ここで、いま、ユーザが、当初、パラメータ用の初期値データ群を設定したいと望んだとき、及び現在のパラメータを、初期値データ群の値に戻したいと望んだときには、予め定められている入力操作を行うことにより、図２のフローチャートに示す処理、すなわち「パラメータ初期化処理」がＭＣＵ１８により実行される。
【００３６】
ここで、この実施形態では、例えば設定表示手段３２のキーボタンの中で予め決めてある複数個のボタンの同時押しが、上記所定の入力操作となるようにしてある。
【００３７】
そして、この図２の処理が開始されると、まず、処理ステップＳ２０、Ｓ２１で、このとき入力された数字列に応じて、初期値データ群選択データ９が参照され、次の処理が処理ステップＳ２２〜Ｓ２４の何れかに振り分けられる。
【００３８】
ここでは、数字列“００”、“０１”、“０２”の３種の数字列が用意され、数字列“００”がメーカ標準初期値データ群による初期化要求を表わし、数字列“０１”と数字列“０２”が夫々一次ユーザ独自初期値データ群と二次ユーザ独自初期値データ群による初期化要求を表わす。
【００３９】
そして、まず、処理ステップＳ２２では、初期値データ群選択指令２１によって、スイッチ１７がメーカ標準初期値データ群記憶エリア１２からのデータの流れ２７に切換えられる。一方、処理ステップＳ２３では、スイッチ１７は、一次ユーザ独自初期値データ群記憶エリア３からのデータの流れ２８に切換えられ、処理ステップＳ２４では、スイッチ１７は、二次ユーザ独自初期値データ群記憶エリア４からのデータの流れ２９に切換えられる。
【００４０】
そして、この後、まず、処理ステップＳ２５で、このときの「パラメータ初期化処理」に対する要求がいまだ継続して存在していることを所定の入力操作、例えば数字３３の入力により確認した後、処理ステップＳ２６に進み、パラメータ初期化処指令４０によりスイッチ２６をＯＮにする。
【００４１】
これにより、処理ステップ２７が実行され、このときスイッチ１７で選択されている初期値データ群の中の何れか、すなわちメーカ標準初期値データ群記憶エリア１２と一次ユーザ独自初期値データ群記憶エリア３、それに二次ユーザ独自初期値データ群記憶エリア４からのデータの何れかが、データの流れ３０とデータの流れ３１により、パラメータ記憶エリア２とパラメータ一時記憶エリア７の各々に書込まれる。
【００４２】
この後、処理ステップＳ２８によりデータ書込みの終了を確認し、処理ステップＳ２９でパラメータ初期化処指令４０を解除し、スイッチ２６をＯＦＦして処理を終わり、ここで、パラメータ記憶エリア２とパラメータ一時記憶エリア７の初期化が得られることになる。
【００４３】
次に、ユーザが、現在、パラメータ一時設定記憶エリア７に格納されているパラメータの内容一式をユーザ独自初期値データ群として保存したいと望んだときについて説明すると、このときは、予め定められている入力操作を行うことにより、図３のフローチャートに示す処理、すなわち「ユーザ独自初期値データ群書換え処理」がＭＣＵ１８により実行される。
【００４４】
また、このときも、設定表示手段３２のキーボタンの中で予め決めてある複数個のボタンの同時押しにより処理が開始されるようにしてあるが、この場合、上記「パラメータ初期化処理」とは異なった複数個のボタンの同時押しとなる。
【００４５】
そして、この図３の処理が開始されると、まず、処理ステップＳ３０で初期値データ群書換え対象選択データ８が参照され、このとき入力された数字列に応じて、次の処理が処理ステップＳ３１と処理ステップＳ３２の何れかに振り分けられる。
【００４６】
ここでは数字列“００”、“０１”の２種の数字列が用意され、一次ユーザ独自初期値データ記憶エリア３を書換え対象にしたいとき、つまり保存先として選びたいときは、数字列“００”を入力し、二次ユーザ独自初期値データ記憶エリア４を書換え対象にしたいとき、つまり保存先として選びたいときは、数字列“０１”を入力するようになっている。
【００４７】
そして、まず、処理ステップＳ３１では、初期値データ群書換え対象選択指令１９により、スイッチ１６が一次ユーザ独自初期値データ群記憶エリア３に対するデータの流れ２４に切換えられる。一方、処理ステップＳ３２では、スイッチ１６は、二次ユーザ独自初期値データ群記憶エリア４に対するデータの流れ２５に切換えられる。
【００４８】
次に、この後、処理ステップＳ３３で、このときの「パラメータ初期化処理」に対する要求がいまだ継続して存在していることを、同じく数字３３の入力により確認した後、処理ステップＳ３４に進み、ここでユーザ独自初期値データ群書換え指令２０によりスイッチ２６をＯＮする。
【００４９】
これにより、パラメータ一時記憶エリア７からのデータの流れ２２からスイッチ１６えのデータの流れ２３を介して、このときスイッチ１６で選択されている一次ユーザ独自初期値データ群記憶エリア３と二次ユーザ独自初期値データ群記憶エリア４の一方に、パラメータ記憶エリア２のデータ値が書込まれ、新たなユーザ独自初期値データ群に書換えられる。
【００５０】
この後、処理ステップＳ３６によりデータ書込みの終了を待ってから処理ステップＳ３７でユーザ独自初期値データ群書換え指令２０によりスイッチ２６をＯＦＦして処理を終え、ここで、ユーザ独自初期値データ群の保存が得られることになる。
【００５１】
従って、この実施形態によれば、例えば一次ユーザが、組み上げた給水システムの出荷先顧客である二次ユーザからの要望により、一次ユーザ独自初期値データ群の変更を要することになった場合、図３で説明した「ユーザ独自初期値データ群書換え処理」を実行して、一次ユーザ独自初期値データ群記憶エリア３を書換えてやるだけで済む。
【００５２】
この結果、上記した初期化機能を備えたインバータ装置において、二次ユーザがユーザ独自初期値データ群の変更を望んだ場合でも、一次ユーザは、二次ユーザ毎に異なった機種のインバータ装置をメーカから購入する必要が無くなり、効率的に対応することができる。
【００５３】
また、この結果、二次ユーザが、設定されているパラメータ一式について何らかの調整を施した後、それを一括して、もとの二次ユーザ独自初期値データ群の内容に戻したいという要求にも容易に対応することができる。
【００５４】
このため、ユーザは、ユーザ独自初期値データ群の復元に際して、他に記録しておいた資料を参照して個々のパラメータ毎に設定し直す作業が回避でき、従って、一次ユーザにとっては工程の節約になり、二次ユーザにとっては実運用時での調整手数の節減が得られることになる。
【００５５】
次に、本発明の第２の実施形態について説明すると、この第２の実施形態は、一次ユーザ独自初期値データ群記憶エリアと二次ユーザ独自初期値データ群記憶エリアの書換えに関して、パスワードの入力による制限が付加されるようにしたものである。
【００５６】
図４は、この第２の実施形態で、この図において、まず、４１は一次ユーザ独自初期値データ群記憶エリア書換え許可パスワードで、４２は二次ユーザ独自初期値データ群記憶エリア書換え許可パスワードであり、これらは、何れもＲＡＭ５の所定のエリアに格納されている。
【００５７】
次に、４７は一次ユーザ独自初期値データ群記憶エリア書換え許可パスワード変更設定で、４８は二次ユーザ独自初期値データ群記憶エリア書換え許可パスワード変更設定であり、これらもＲＡＭ５の所定のエリアに格納されているものであり、その他の構成は、図１の実施形態と同じである。
【００５８】
そして、この図４の第２の実施形態でも、図２のフローチャートに示す処理、すなわち「パラメータ初期化処理」は同じで、ユーザが、当初、パラメータ用の初期値データ群を設定したいと望んだとき、及び現在のパラメータを、初期値データ群の値に戻したいと望んだときには、予め定められている入力操作を行うことにより、図２のフローチャートに示す「パラメータ初期化処理」がＭＣＵ１８により実行され、これにより、上記した初期化機能を備えたインバータ装置が得られる。
【００５９】
次に、この図４の実施形態において、ユーザが、現在、パラメータ一時設定記憶エリア７に格納されているパラメータの内容一式をユーザ独自初期値データ群として保存したいと望んだときについて説明すると、このときは、予め定められている入力操作を行うことにより、図５のフローチャートに示す処理、すなわち「ユーザ独自初期値データ群書換え判定・実行処理」がＭＣＵ１８により実行される。
【００６０】
また、このときも、設定表示手段３２のキーボタンの中で予め決めてある複数個のボタンの同時押しにより処理が開始されるようにしてあるが、このときも上記「パラメータ初期化処理」とは異なった複数個のボタンの同時押しとなる。
【００６１】
ここで、この図５の処理においても、処理ステップＳ３３〜Ｓ３７は、図３の「ユーザ独自初期値データ群書換え処理」と同じであり、このとき、処理ステップＳ３３が最初に実行され、この後で、この図５の実施形態特有のパスワードによる制限のための処理ステップＳ５０〜Ｓ５９が間に入った後、処理ステップＳ３４〜Ｓ３７が、処理ステップＳ３１〜Ｓ３３を省略した形で実行されるようになっている。
【００６２】
この図５の処理が開始され、処理ステップＳ３３で、このときの「ユーザ独自初期値データ群書換え判定・実行処理」の継続が確認されたら、まず、処理ステップＳ５００で初期値データ群書換え対象選択データ８が参照され、このとき入力された数字列に応じて、次の処理が一次ユーザによる書換えと二次ユーザによる書換えに振り分けられる。
【００６３】
このときも数字列“００”、“０１”の２種の数字列が用意され、一次ユーザ独自初期値データ記憶エリア３を書換え対象にしたいとき、つまり保存先として選びたいときは、数字列“００”を入力し、二次ユーザ独自初期値データ記憶エリア４を書換え対象にしたいとき、つまり保存先として選びたいときは、数字列“０１”を入力するようになっている。
【００６４】
まず、数字列“００”のときは、処理ステップＳ５０１に進み、初期値データ群書換え対象選択指令１９により、スイッチ１６がスイッチ４５に切換えられる。一方、数字列“０１”のときは、処理ステップＳ５０２に進み、初期値データ群書換え対象選択指令１９により、スイッチ１６はスイッチ４６に切換えられる。
【００６５】
処理ステップＳ５０３では、一次ユーザ独自初期値データ群記憶エリア書換え許可パスワード４１が読み込まれ、処理ステップＳ５０４では、二次ユーザ独自初期値データ群記憶エリア書換え許可パスワード４２が読み込まれる。
【００６６】
続いて、一方の処理ステップＳ５０５では、設定表示手段３２により、一次ユーザにパスワードの入力（＝ＴＥＭＰ）が要求され、入力されたら処理ステップＳ５０７に進み、他方の処理ステップＳ５０６でも、同じく設定表示手段３２により、今度は二次ユーザにパスワードの入力（＝ＴＥＭＰ）が要求され、入力されたら処理ステップＳ５０８に進む。
【００６７】
これら処理ステップＳ５０７、５０８では、夫々に入力されたパスワードＴＥＭＰが、各々一次ユーザ独自初期値データ群記憶エリア書換え許可パスワード４１又は二次ユーザ独自初期値データ群記憶エリア書換え許可パスワード４２と比較され、一致したときは、夫々処理ステップＳ５０９、Ｓ５１０に進むが、不一致のときは何れも処理ステップＳ５１１に進む。
【００６８】
そして、処理ステップＳ５０９では、一次ユーザ独自初期値データ群記憶エリア書換え許可指令４３によりスイッチ４５がＯＮされるが、このときスイッチ４６は、二次ユーザ独自初期値データ群記憶エリア書換え許可指令４４によりＯＦＦされる。
【００６９】
また、他方の処理ステップＳ５１０では、二次ユーザ独自初期値データ群記憶エリア書換え許可指令４４によりスイッチ４６がＯＮされ、このときスイッチ４５は、一次ユーザ独自初期値データ群記憶エリア書換え許可指令４３によってＯＦＦされる。
【００７０】
そして、これらの処理ステップＳ５０９、Ｓ５１０の後は、何れも処理ステップＳ３４以降の処理に進むが、処理ステップＳ５１１に進んだときは、夫々一次ユーザ独自初期値データ群記憶エリア書換え許可指令４３と二次ユーザ独自初期値データ群記憶エリア書換え許可指令４４により、スイッチ４５とスイッチ４６の双方ともＯＦＦされ、ここで処理が終了してしまう。
【００７１】
従って、この図４に示した第２の実施形態によれば、例えば一次ユーザにより設定されている初期値データ群が、二次ユーザにより勝手に変更されてしまったり、二次ユーザ側で、所定の権限を持っていない作業者が誤って二次ユーザの初期値を変更してしまうなどの事態が回避できることになり、安全管理上も有利になる。
【００７２】
ところで、この図４の実施形態では、ＲＡＭ５の所定のエリアに、上記したように、一次ユーザ独自初期値データ群記憶エリア書換え許可パスワード変更設定４７と二次ユーザ独自初期値データ群記憶エリア書換え許可パスワード変更設定４８が格納されている。
【００７３】
そして、これにより、図６に示す「パスワード変更判定・実行処理」が実行され、パスワードの変更が任意に得られるように構成してあり、以下、この図６のフローチャートによる処理について説明する。
【００７４】
ここで、この場合も、設定表示手段３２の複数個のボタンの同時押しにより処理が開始されるようにしてあるが、勿論、上記した図２と図３、それに図４の何れの処理とも異なった複数個のボタンの同時押しとなる。
【００７５】
そして、処理が開始されると、まず処理ステップＳ６００で一次ユーザ独自初期値データ群記憶エリア書換え許可パスワード変更設定４７が参照され、次の処理が一次ユーザによる書換えと二次ユーザによる書換えに振り分けられる。
【００７６】
いま、入力された数字列“０１”とすると、このときは、処理ステップＳ６０１に進み、設定表示手段３２により変更前のパスワードＯＬＤ−ＰＡＳＳＷＤの入力が要求される。
【００７７】
次の処理ステップＳ６０２では、入力されたＯＬＤ−ＰＡＳＳＷＤが一次ユーザ独自初期値データ群記憶エリア書換え許可パスワード４１と一致するか否か判定し、一致したら処理ステップ６０３で、設定表示手段３２により、今度は変更後のパスワードＮＥＷ−ＰＡＳＳＷＤの入力を要求する。
【００７８】
そして、処理ステップＳ６０４で、入力されたＮＥＷ−ＰＡＳＳＷＤをＮＥＷ−ＰＡＳＳＷＤ２として設定表示手段３２に表示させ、ＮＥＷ−ＰＡＳＳＷＤ＝ＮＥＷ−ＰＡＳＳＷＤ２であると確認した上で処理ステップＳ６０６に進み、ＮＥＷ−ＰＡＳＳＷＤ２を新たなパスワードとして、一次ユーザ独自初期値データ群記憶エリア書換え許可パスワード４１に格納し、パスワードを書換える。
【００７９】
一方、処理ステップＳ６０２で、入力されたＯＬＤ−ＰＡＳＳＷＤが一次ユーザ独自初期値データ群記憶エリア書換え許可パスワード４１と一致しなかったときと、処理ステップＳ６０４で、ＮＥＷ−ＰＡＳＳＷＤ＝ＮＥＷ−ＰＡＳＳＷＤ２であると確認できなかったときは、共に処理ステップＳ６０７を実行し、一次ユーザ独自初期値データ群記憶エリア書換え許可パスワード変更設定４７＝００にした上で、処理ステップＳ６００で、次の処理が二次ユーザによる書換えに振り分けられたときと一緒に、処理ステップＳ６１０に進む。
【００８０】
そして、処理ステップＳ６１０で、今度は二次ユーザ独自初期値データ群記憶エリア書換え許可パスワード変更設定４８が参照され、二次ユーザによる書換えでは無かったときは、ここで処理は終了される。
【００８１】
一方、数字列“０１”のときは、処理ステップＳ６１１に進み、設定表示手段３２により変更前のパスワードＯＬＤ−ＰＡＳＳＷＤの入力を要求し、次の処理ステップＳ６１２で、入力されたＯＬＤ−ＰＡＳＳＷＤが二次ユーザ独自初期値データ群記憶エリア書換え許可パスワード４２と一致するか否か判定し、一致したら処理ステップ６１３で、設定表示手段３２により、今度は変更後のパスワードＮＥＷ−ＰＡＳＳＷＤの入力を要求する。
【００８２】
そして、処理ステップＳ６１４で入力されたＮＥＷ−ＰＡＳＳＷＤをＮＥＷ−ＰＡＳＳＷＤ２として設定表示手段３２に表示させ、処理ステップＳ６１５でＮＥＷ−ＰＡＳＳＷＤ＝ＮＥＷ−ＰＡＳＳＷＤ２であると確認した上で処理ステップＳ６１６に進み、ＮＥＷ−ＰＡＳＳＷＤ２を新たなパスワードとして、このときは二次ユーザ独自初期値データ群記憶エリア書換え許可パスワード４２に格納し、パスワードを書換えてから処理を終了する。
【００８３】
一方、処理ステップＳ６１２で、入力されたＯＬＤ−ＰＡＳＳＷＤが二次ユーザ独自初期値データ群記憶エリア書換え許可パスワード４２と一致しなかったときと、処理ステップＳ６１４で、ＮＥＷ−ＰＡＳＳＷＤ＝ＮＥＷ−ＰＡＳＳＷＤ２であると確認できなかったときは、共に処理ステップＳ６１７を実行し、今度は二次ユーザ独自初期値データ群記憶エリア書換え許可パスワード変更設定４８＝００にした上で処理を終了するのである。
【００８４】
【発明の効果】
本発明によれば、例えばセットメーカが、組み上げたシステムの出荷先顧客によりユーザ独自の初期値データ群を変更したい場合でも、ユーザ独自初期値データ群記憶エリアを書換えるだけで済む。
【００８５】
また、セットメーカが組み上げたシステムを使用する二次ユーザが、システムの調整の一環としてインバータ装置のパラメータ調整を行って、実運用に供するインバータ装置のパラメータ一式を決定したときでも、その内容でユーザ独自初期値データ群記憶エリアを書換えることができる。
【００８６】
これにより、実運用パラメータ初期値から更に調整を行った後で、実運用パラメータ初期値へ戻す場合でも、他に記録しておいた資料を参照して個々のパラメータを設定し直すことが回避でき、一次ユーザとなったセットメーカでは、工程の節約に役立ち、二次ユーザでは、実運用時の調整手数節減に役立つ。
【図面の簡単な説明】
【図１】本発明によるインバータ装置の第１の実施形態を示すブロック構成図である。
【図２】本発明の第１の実施形態によるパラメータ初期化処理を説明するフローチャートである。
【図３】本発明の第１の実施形態によるユーザ独自初期値データ群書換え処理を説明するフローチャートである。
【図４】本発明によるインバータ装置の第２の実施形態を示すブロック構成図である。
【図５】本発明の第２の実施形態によるユーザ独自初期値データ群書換え判定・実行処理を説明するフローチャートである。
【図６】本発明の第２の実施形態によるパスワード変更判定・実行処理を説明するフローチャートである。
【符号の説明】
１　ＥＥＰＲＯＭ（電気的に書換え可能な不揮発性メモリ）
２　ユーザ独自初期値データ群記憶エリア
３　パラメータ記憶エリア
４　メーカ初期値データ群記憶エリア
５　ＲＡＭ（ランダムアクセスメモリ）
６　ワークエリア（インバータ装置内制御演算の途中結果などの格納用）
７　パラメータ一時記憶エリア
８　初期値データ群書換え対象選択データ
９　初期値データ群選択データ
１０　ＲＯＭ（読出専用メモリ）
１１　プログラムエリア
１２　メーカ標準初期値データ群記憶エリア
１３　電源ＯＦＦ時、設定変更時のデータの流れ
１４　電源ＯＮ時のデータの流れ
１５、１６、１７、２６　スイッチ
１８　ＭＣＵ（マイクロコントローラユニット）
１９　初期値データ群書換え対象選択指令
２０　ユーザ独自初期値データ群書換え指令
２１　初期値データ群選択指令
２２　パラメータ記憶エリア７からのデータの流れ
２３　スイッチ１５からスイッチ１６へのデータの流れ
２４　スイッチ１６から一次ユーザ独自初期値データ群記憶エリア３へのデータの流れ
２５　スイッチ１６から二次ユーザ独自初期値データ群記憶エリア４へのデータの流れ
２７　メーカ標準初期値データ群記憶エリア１２からのデータの流れ
２８　一次ユーザ独自初期値データ群記憶エリア３からのデータの流れ
２９　二次ユーザ独自初期値データ群記憶エリア４からのデータの流れ
３０　選択された初期値データ群からパラメータ一時記憶エリア７へのデータの
流れ３１　選択された初期値データ群からパラメータ記憶エリア２へのデータの流れ３２　設定表示手段
３３　設定要求（パラメータ初期化要求／ユーザ独自初期値データ群書換え操作要求を含む）
３４　初期値データ群書換え対象選択データ８からＭＣＵ１８へのデータの流れ
３５　初期値データ群選択データ９からＭＣＵ１８へのデータの流れ
３６　パラメータ一時記憶エリア７からＭＣＵ１８へのデータの流れ
３７　インバータ装置出荷時の一次ユーザ独自初期値データ群記憶エリア３へのデータ書込み
３８　インバータ装置出荷時の二次ユーザ独自初期値データ群記憶エリア４へのデータ書込み
３９　ＲＯＭ実装時処理
４０　パラメータ初期化指令
４１　一次ユーザ独自初期値データ群記憶エリア書換え許可パスワード
４２　二次ユーザ独自初期値データ群記憶エリア書換え許可パスワード
４３　一次ユーザ独自初期値データ群記憶エリア書換え許可指令
４４　二次ユーザ独自初期値データ群記憶エリア書換え許可指令
４５、４６　スイッチ
４７　一次ユーザ独自初期値データ群記憶エリア書換え許可パスワード変更設定
４８　二次ユーザ独自初期値データ群記憶エリア書換え許可パスワード変更設定
４９　一次ユーザ独自初期値データ群記憶エリア書換え許可パスワード変更設定４７からＭＣＵ１８へのデータの流れ
５０　二次ユーザ独自初期値データ群記憶エリア書換え許可パスワード変更設定４８からＭＣＵ１８へのデータの流れ
５１　一次ユーザ独自初期値データ群記憶エリア書換え許可パスワード４１からＭＣＵ１８へのデータの流れ
５２　二次ユーザ独自初期値データ群記憶エリア書換え許可パスワード４２からＭＣＵ１８へのデータの流れ
５３　表示データ
【図１】
2004040966.tif 000003
【図２】
2004040966.tif 000004
【図３】
2004040966.tif 000005
【図４】
2004040966.tif 000006
【図５】
2004040966.tif 000007
【図６】
2004040966.tif 000008